(57)【要約】      （修正有）【課題】自動車に物品を取付けする際、工具を必要とせず自動車にネジやボルト穴を開けずに簡単に物品を設置、脱着する事が可能な磁石付き取付金具を提供する。【解決手段】伸縮磁石部２とスライド磁石部３に複数設けた磁石２１を、自動車の屋根形状に合わせ伸縮スライドさせる事により自動車屋根に磁石を強力に密着させ、屋根引掛け部を自動車のルーフモールに差込み、フック１３を自動車のルーフエッジに引掛け締付け固定する。これにより、走行中の振動や揺れによる磁石２１のズレや外れを防ぎしっかり固定し工具を使用せず、自動車にネジやボルト穴を開けずに簡単に物品を設置脱着する事が出来るように構成する。【選択図】図１
0003176253.tif 000002
【実用新案登録請求の範囲】
【請求項１】
物品取付部１と伸縮磁石部２とスライド磁石部３とからなる磁石付取付金具ａであって、物品取付部１は物品載置部１７に設けた締付けボルト挿入穴１５にハンドル１１を連結した締付けボルト１２を挿通し、その締付けボルト１２の一端にフック１３を連結した物からなり、伸縮磁石部２は複数の磁石２１を磁石取付ネジ２３を用いて可倒調整可能に伸縮磁石取付部２２に連結し、その伸縮磁石取付部２２に伸縮部２４の一端を連結した物からなり、自動車に物品を設置する際にフック１３を自動車のルーフエッジに引掛け、屋根引っ掛け部３９を自動車のルーフモールに差込み、自動車の屋根形状に合わせ最適な位置に伸縮磁石部２を移動させ磁石２１を自動車の屋根に密着させ、ハンドル１１を回す事で締付けボルト１２がフック１３を引き寄せ磁石付き取付金具ａを自動車にしっかり固定し、ボルトやネジ穴を開ける必要がなく、工具が不要で自動車ごとに異なる屋根取付面の形状に対応できる事を特徴とする磁石付き取付金具。
【請求項２】
スライド磁石部３は複数の磁石３１をスライド磁石取付ネジ３８を用いて可倒可能にスライド磁石取付部３２に連結し、そのスライド磁石取付部３２を下部端に角度が付いた屋根引っ掛け部３９が連結したスライド部土台３４に設けたスライド調整穴３７にスライド調整ネジ３３を用いて連結し、そのスライド調整ネジ３３をスライド部土台３４の裏面よりスライド調整ネジ固定部３５を介してスライド調整ナット３６で連結したものからなり、自動車の屋根形状にあわせスライド調整穴３７内を磁石３１を複数設けたスライド磁石取付部を移動させ最適な位置に磁石３１を密着させる事を特徴とする請求項１に記載の磁石付き取付金具。
【請求項３】
物品取付部１の、物品載置部１７はスライド部土台３４の一端の上面に角度調整ボルト１４を用いて角度調整可能に設置し、載置する物品の形状に合わせ水平にも斜めに角度を付ける事も可能な事を特徴とする請求項１から請求項２に記載の磁石付き取付金具。
【考案の詳細な説明】
【技術分野】
【０００１】本考案は磁石を利用し、設置対象物を自動車の屋根部に取付けする金具に関する
【背景技術】
【０００２】従来の取付金具は、自動車の車体や突起部にネジやボルトを用いて取付金具を設置しその取付金具に設置対象物を固定する物や、蝶番で連結された磁石を有する取付板で鉄部に対象物を取付する金具がある。【０００３】しかし従来のネジやボルトを用いて取付する金具は、車体に穴を開けたり、脱着工具を必要とする為、自動車の価値や景観を損ね、雨に濡れ穴開け部が錆びつき腐食する恐れがあり、水漏れの原因となり、蝶番で連結された磁石を有する取付板で取り付ける金具は磁石間の間隔を自由に調整できない為、自動車ごとに異なる取付面の形状に磁石の設置面を合わせる事は困難である。
【先行技術文献】
【特許文献】
【０００４】
【特許文献１】  特開平９−２９３６０８号公報
【考案の概要】
【考案が解決しようとする課題】
【０００５】本発明は上記の問題に留意しボルトやネジ穴を鉄部材に開ける必要がなく、工具が不要で自動車ごとに異なる取付面の形状に対応できる磁石付取付金具を提供する事を目的とする。
【課題を解決するための手段】
【０００６】  物品取付部１と伸縮磁石部２とスライド磁石部３とからなる磁石付取付金具ａであって、物品取付部１は物品載置部１７に設けた締付けボルト挿入穴１５にハンドル１１を連結した締付けボルト１２を挿通し、その締付けボルト１２の一端にフック１３を連結した物からなり、伸縮磁石部２は複数の磁石２１を磁石取付ネジ２３を用いて可倒調整可能に伸縮磁石取付部２２に連結し、その伸縮磁石取付部２２に伸縮部２４の一端を連結した物からなり、自動車に物品を設置する際にフック１３を自動車のルーフエッジに引掛け、屋根引っ掛け部３９を自動車のルーフモールに差込み、自動車の屋根形状に合わせ最適な位置に伸縮磁石部２を移動させ磁石２１を自動車の屋根に密着させ、ハンドル１１を回す事で締付けボルト１２がフック１３を引き寄せ磁石付き取付金具ａを自動車にしっかり固定し、ボルトやネジ穴を開ける必要がなく、工具が不要で自動車ごとに異なる屋根取付面の形状に対応できる事を特徴とする磁石付き取付金具。【０００７】  スライド磁石部３は複数の磁石３１をスライド磁石取付ネジ３８を用いて可倒可能にスライド磁石取付部３２に連結し、そのスライド磁石取付部３２を下部端に角度が付いた屋根引っ掛け部３９が連結したスライド部土台３４に設けたスライド調整穴３７にスライド調整ネジ３３を用いて連結し、そのスライド調整ネジ３３をスライド部土台３４の裏面よりスライド調整ネジ固定部３５を介してスライド調整ナット３６で連結したものからなり、自動車の屋根形状にあわせスライド調整穴３７内を磁石３１を複数設けたスライド磁石取付部を移動させ最適な位置に磁石３１を密着させる事を特徴とする磁石付き取付金具。【０００８】  物品取付部１の、物品載置部１７はスライド部土台３４の一端の上面に角度調整ボルト１４を用いて角度調整可能に設置し、載置する物品の形状に合わせ水平にも斜めに角度を付ける事も可能な事を特徴とする磁石付き取付金具。
【考案の効果】
【０００９】この考案の磁石付き取付金具は、自動車の屋根の形状に合わせ伸縮磁石部とスライド磁石部を移動する事により、複数の磁石を自動車の屋根の最良の位置に取付けでき、磁石取付ネジで何倒可能に取付けた磁石により自動車屋根の曲面部に密着する様に磁石の角度を変更でき、スライド部土台に連結した斜めに角度をつけた屋根引掛け部を、自動車にルーフモールに引掛け、フックを自動車のルーフエッジに引掛け、締付ける事で自動車にネジやボルトの穴を開けることなく、あらゆる形状の自動車に簡単でしかも強力に磁石付き取付金具を設置、脱着する事ができ、物品を載置する物品取付部を角度調整ボルトにより最良な角度に調整する事で、載置する物品の角度を変更できる為、物品の設置を必要とするあらゆる自動車に広く利用できるという優れた利点を有する。
【図面の簡単な説明】
【００１０】
【図１】本考案の磁石付き取付金具の表面斜視図  （Ａ）通常時  （Ｂ）伸縮部を伸ばした時
【図２】本考案の磁石付き取付金具の裏面斜視図  （Ａ）通常時  （Ｂ）伸縮部を伸ばした時
【図３】本考案の磁石付き取付金具の側面図  （Ａ）通常時  （Ｂ）物品取付部に角度を付けた時
【図４】本考案の磁石付き取付金具の使用例
【考案を実施するための形態】
【００１１】以下、本考案の磁石付き取付金具の構成に沿って説明する。
図１は本考案の磁石付き取付金具の表面斜視図を示す。
磁石２１を複数設けた伸縮磁石取付部２２が連結した伸縮部２４を伸縮調整ネジ２５で伸縮可能にスライド部土台３４に連結し、そのスライド部土台３４に設けたスライド調整穴内を磁石３１を複数設けたスライド磁石取付部３２を移動可能に連結し（Ｂ）の様に伸縮部２４を伸ばし、スライド磁石取付部３２移動する事で磁石２１と磁石３１を自動車の屋根形状に合わせ最適な取付場所に移動させ密着させる事ができる。
【００１２】図２は本考案の磁石付き取付金具の裏面斜視図を示す。
スライド部土台３４の一端に角度を付けた屋根引掛け部３９を設け、この屋根引掛け部３９を自動車のルーフモールに引掛け、フック１３を自動車のルーフエッジに引っ掛け締付ける事で磁石付き取付金具ａを自動車にしっかり固定し走行中の振動や揺れによる磁石のズレや外れを防ぐ。
【００１３】スライド磁石取付部３２はスライド部土台３４の裏面よりスライド調整ナット３６によりスライド調整ネジ固定部３５を介してスライド調整穴３７内を移動可能に連結し、スライド磁石取付部３２に連結された磁石３１の位置変更が可能。
【００１４】図３は本考案の磁石付き取付金具の側面図を示す。
物品載置部１７の角度を、載置する物品の形状や角度に合わせ角度調整ボルト１４により（Ａ）から（Ｂ）の様に変更できる。
【００１５】図４は本考案の磁石付き取付金具の使用例を示す。
磁石付き取付金具ａを自動車屋根ｂに取付け、例えば雨降り対策商品ｃを載置し固定する事で、自動車にネジやボルトの穴を開けずに誰でも簡単にしっかりと自動車に物品を取付ける事ができる。
磁石付取付金具ａに載置する物品は、雨降り対策商品ｃに限らず、例えばサイドオーニングやルーフキャリア等、磁石付き取付金具ａに載置し得る物品に幅広く利用できる。
【産業上の利用可能性】
【００１６】自動車の屋根に物品の載置を必要とする、あらゆる物に広く利用でき、自動車のみならずあらゆる鉄部材にも活用できる。
【符号の説明】
【００１７】    １    物品取付部
１１  ハンドル
１２  締付けボルト
１３  フック
１４  角度調整ボルト
１５  締付けボルト挿入穴
１６  物品取付穴
１７  物品載置部
２    伸縮磁石部
２１  磁石
２２  伸縮磁石取付部
２３  磁石取付ネジ
２４  伸縮部
２５  伸縮調整ネジ
３    スライド磁石部
３１  スライド磁石
３２  スライド磁石取付部
３３  スライド調整ネジ
３４  スライド部土台
３５  スライド調整ネジ固
３６  スライド調整ナット
３７  スライド調整穴
３８  スライド磁石取付ネジ
３９  屋根引っ掛け部
ａ    磁石付き取付金具
ｂ    自動車屋根
ｃ    雨降り対策商品
【図１】
0003176253.tif 000003
【図２】
0003176253.tif 000004
【図３】
0003176253.tif 000005
【図４】
0003176253.tif 000006